(57)【特許請求の範囲】
【請求項１】
日時情報を有する複数のテキストデータから、抽出対象となる対象語及び前記対象語が係る希望の表現からなる希望文を抽出する希望文抽出手段と、
前記テキストデータから、前記対象語及び前記対象語が係る実行を表わす表現からなり、対応する希望文の日時情報より遅い日時情報が対応付けられた実行文を抽出する実行文抽出手段と、
前記実行文を有するテキストデータの抽出数と前記希望文を有するテキストデータの抽出数に対する抽出割合からなる有言実行度を算出する有言実行度算出手段と、
を具備することを特徴とする情報分析装置。
【請求項２】
前記テキストデータは、まとまり毎に関連付けされ、
前記実行文抽出手段は、前記関連付けを参照して前記希望文に関連するテキストデータを判定し、前記希望文に関連するテキストデータから実行文を抽出することを特徴とする請求項１記載の情報分析装置。
【請求項３】
前記テキストデータは、識別情報を有し、
前記希望文抽出手段及び前記実行文抽出手段は、前記識別情報が同一のテキストデータからそれぞれ抽出することを特徴とする請求項１又は請求項２に記載の情報分析装置。
【請求項４】
前記識別情報は、ユーザ毎に固有の情報又は分類分けされた情報であることを特徴とする請求項１から請求項３のいずれか１項に記載の情報分析装置。
【請求項５】
前記希望文抽出手段は、希望を示す助動詞又は動詞が含まれる前記テキストデータを希望文として抽出することを特徴とする請求項１から請求項４のいずれか１項に記載の情報分析装置。
【請求項６】
前記実行文抽出手段は、前記対象語が係る動詞、形容詞、形容動詞に過去又は完了の助動詞が付随する前記テキストデータを実行文として抽出することを特徴とする請求項１から請求項５のいずれか１項に記載の情報分析装置。
【請求項７】
前記テキストデータは、ウェブサーバを介して抽出されることを特徴とする請求項１から請求項６のいずれか１項に記載の情報分析装置。
【請求項８】
コンピュータが、
日時情報を有する複数のテキストデータから、抽出対象となる対象語及び前記対象語が係る希望の表現からなる希望文を抽出する希望文抽出ステップと、
前記テキストデータから、前記対象語及び前記対象語が係る実行を表わす表現からなり、対応する希望文の日時情報より遅い日時情報が対応付けられた実行文を抽出する実行文抽出ステップと、
前記実行文を有するテキストデータの抽出数と前記希望文を有するテキストデータの抽出数に対する抽出割合からなる有言実行度を算出する有言実行度算出ステップと、
を含むことを特徴とする情報分析方法。
【請求項９】
コンピュータを、
日時情報を有する複数のテキストデータから、抽出対象となる対象語及び前記対象語が係る希望の表現からなる希望文を抽出する希望文抽出手段と、
前記テキストデータから、前記対象語及び前記対象語が係る実行を表わす表現からなり、対応する希望文の日時情報より遅い日時情報が対応付けられた実行文を抽出する実行文抽出手段と、
前記実行文を有するテキストデータの抽出数と前記希望文を有するテキストデータの抽出数に対する抽出割合からなる有言実行度を算出する有言実行度算出手段と、
として機能させるためのプログラム。
【発明の詳細な説明】
【技術分野】
【０００１】
本発明は、情報分析装置に係り、更に詳しくは、インターネット等を介して投稿されるテキストデータを元に投稿者が興味を持ったことを実際に実行するかどうかを示す有言実行度の指標を求める情報分析装置等に関するものである。
【背景技術】
【０００２】
近年、インターネット上に投稿されるブログ等に、さまざまなサービスや商品等に対する個人の意見が公開されている。このような意見を分析して、マーケティングや商品開発、プロモーション等の計画立案に利用するテキストマイニングツールが開発されている。
【０００３】
ブログやＴｗｉｔｔｅｒ（登録商標）のような投稿テキストデータから、特定のキーワードを含む投稿テキストを抽出することは容易であり、キーワードの注目度合や大まかな意見等の情報を、キーワードの出現頻度や、キーワードの共起語や評価表現を元に提供することは既存手法で可能である。
【０００４】
しかしながら、例えば、投稿テキストでは、「○○のかき氷が食べたい」、「○○のかき氷がすごく美味しかった」のように、「○○のかき氷」を食べた人、食べない人が混在しており、個人の実際の意見を抽出するためには食べた人（特定の人）を言語処理技術等により抽出する必要がある。
また、投稿テキストには「この夏絶対に食べたいかき氷ベスト１０ｈｔｔｐ：／／ｗｗｗ．・・・」のように他のテキスト等を参照するものも含まれ、キーワードが含まれる投稿テキスト数の多少から、売上等の影響の大きさを推測することは困難である。
【０００５】
すなわち、頻度によらない重要意見の抽出や、特定のユーザを対象とした意見分析を行いたい場合には、他のデータや言語処理技術が必要である。
【０００６】
従来、インターネット上のテキストを解析し、体験表現及び評価表現の有無を判定し、その情報を元にテキストが口コミ情報であるか否かを判定する手法が提案されている（例えば、特許文献１）。
【先行技術文献】
【特許文献】
【０００７】
【特許文献１】特許第４２９３１４５号公報
【発明の概要】
【発明が解決しようとする課題】
【０００８】
しかしながら、特許文献１の方法は、体験可能な対象に関してのみ有効であり、発売前の商品など、体験不可能な対象物には適用できず、売上予測等のマーケティング・リサーチの用途には向かないという問題がある。
【０００９】
本発明は、前述した問題点に鑑みてなされたもので、その目的とするところは、インターネット上等のテキストの分析により、マーケティング予測、プロモーションの立案等に適用可能な情報を提供可能な情報分析装置等を提供することである。
【課題を解決するための手段】
【００１０】
前述した目的を達成するために、第１の発明は、日時情報を有する複数のテキストデータから、抽出対象となる対象語及び前記対象語が係る希望の表現からなる希望文を抽出する希望文抽出手段と、前記テキストデータから、前記対象語及び前記対象語が係る実行を表わす表現からなり、対応する希望文の日時情報より遅い日時情報が対応付けられた実行文を抽出する実行文抽出手段と、前記実行文を有するテキストデータの抽出数と前記希望文を有するテキストデータの抽出数に対する抽出割合からなる有言実行度を算出する有言実行度算出手段と、を具備することを特徴とする情報分析装置である。
ここでいう「対象語」とは、希望文に含まれる、係り受けにおいて希望を示す表現に係る名詞である。
【００１１】
前記テキストデータは、まとまり毎に関連付けされ、前記実行文抽出手段は、前記関連付けを参照して前記希望文に関連するテキストデータを判定し、前記希望文に関連するテキストデータから実行文を抽出する。
ここでいう「まとまり毎に関連付け」されたテキストデータとは、掲示板の同一スレッド内の投稿テキストデータや、ブログのある日記内の投稿テキストデータなど、特定の対象に対して投稿された関連のあるテキストデータである。
【００１２】
また、前記テキストデータは、識別情報を有し、前記希望文抽出手段及び前記実行文抽出手段は、前記識別情報が同一のテキストデータからそれぞれ抽出する。
前記識別情報は、ユーザ毎に固有の情報又は分類分けされた情報である。
前記希望文抽出手段は、希望を示す助動詞又は動詞が含まれる前記テキストデータを希望文として抽出する。
また、前記実行文抽出手段は、前記対象語が係る動詞、形容詞、形容動詞に、過去又は完了の助動詞が付随する前記テキストデータを実行文として抽出する。
また、前記テキストデータは、ウェブサーバを介して抽出されることが望ましい。
【００１３】
第１の発明は、インターネット上等に投稿された複数のテキストデータから、希望文抽出手段により希望の表現を含む希望文を抽出し、実行文抽出手段により、複数のテキストデータから、当該希望文の対象語が係る実行を表わす表現を含み、対応する希望文の日時情報より遅い日時情報が対応付けられた実行文を抽出し、有言実行度算出手段により、実行文の希望文に対する抽出割合からなる有言実行度を算出することが可能になる。
【００１４】
第１の発明により、ユーザ（識別情報）ごとに、希望文の対象語である興味を持った対象を実際に行ったかどうかを示す有言実行度の指標を求めることが可能になる。
【００１５】
第１の発明による有言実行度は、商品の売れ行き予測や、販促活動の検討、意見分析対象ユーザのフィルタリング等に用いることが可能である。
すなわち、特定の商品の名前を含む希望文を含む投稿テキストの件数と、それらの投稿テキストを投稿したユーザの有言実行度から、その商品の売れ行きを予測することができる。
【００１６】
また、特定の商品の名前を含む希望文を含む投稿テキストを投稿したユーザ全体の平均有言実行度と、当該特定の商品の名前を含む実行文を投稿したユーザの割合を比較することにより、例えば、平均有言実行度が高いのにもかかわらず、実際にその商品の名前を含む実行文を投稿したユーザの割合が低い場合には、販促活動が必要と判断することができる。
【００１７】
また、有言実行度の高いユーザを抽出して、そのユーザにヒアリングを行ったり、そのユーザの投稿テキストをその後も分析することにより、意見分析対象ユーザのフィルタリングをすることが可能になる。
【００１８】
以上のように、第１の発明によりインターネット上等に投稿されたテキストデータから有言実行度の指標を求めることを可能にすることにより、さまざまなマーケティング戦略に有効な情報を提供することが可能になる。
【００１９】
第２の発明は、コンピュータが、日時情報を有する複数のテキストデータから、抽出対象となる対象語及び前記対象語が係る希望の表現からなる希望文を抽出する希望文抽出ステップと、前記テキストデータから、前記対象語及び前記対象語が係る実行を表わす表現からなり、対応する希望文の日時情報より遅い日時情報が対応付けられた実行文を抽出する実行文抽出ステップと、前記実行文を有するテキストデータの抽出数と前記希望文を有するテキストデータの抽出数に対する抽出割合からなる有言実行度を算出する有言実行度算出ステップと、を含むことを特徴とする情報分析方法情報分析方法である。
【００２０】
第３の発明は、コンピュータを、日時情報を有する複数のテキストデータから、抽出対象となる対象語及び前記対象語が係る希望の表現からなる希望文を抽出する希望文抽出手段と、前記テキストデータから、前記対象語及び前記対象語が係る実行を表わす表現からなり、対応する希望文の日時情報より遅い日時情報が対応付けられた実行文を抽出する実行文抽出手段と、前記実行文を有するテキストデータの抽出数と前記希望文を有するテキストデータの抽出数に対する抽出割合からなる有言実行度を算出する有言実行度算出手段と、として機能させるためのプログラムである。
【発明の効果】
【００２１】
本発明により、インターネット上等のテキストの分析により、マーケティング予測、プロモーションの立案等に適用可能な情報を提供可能な情報分析装置等を提供することが可能になる。
【図面の簡単な説明】
【００２２】
【図１】本発明の実施形態に係る情報分析装置１の適用構成例の概要を示す図
【図２】情報分析装置１のハードウエア構成例を示すブロック図
【図３】情報分析装置１の処理の流れを示すフローチャート
【図４】投稿テキスト記憶部２１の構成例を示す図
【図５】希望文及び実行文抽出の説明図
【図６】希望文データ記憶部２３の構成例を示す図
【図７】実行文データ記憶部２５の構成例を示す図
【図８】有言実行度記憶部２７の構成例を示す図
【発明を実施するための形態】
【００２３】
以下、添付図面に基づいて、本発明に係る情報分析装置１の好適な実施形態について詳細に説明する。
【００２４】
図１は、情報分析装置１の適用例を示す構成図である。
情報分析装置１は、例えば、投稿サーバ３とネットワーク７を介して接続され、ネットワーク７を介して投稿サーバ３と接続されたユーザ端末５から投稿され、投稿サーバ３が管理する投稿テキストデータを分析する。
【００２５】
投稿サーバ３は、例えば、ブログ、Ｔｗｉｔｔｅｒ（登録商標）等の投稿サービスを行うサーバであり、ブログ、Ｔｗｉｔｔｅｒ（登録商標）等の投稿テキストの作成支援、管理を行う。
ユーザ端末５は、インターネット等のネットワーク７を介して投稿サーバ３に接続可能であり、投稿サーバ３にアカウントを持つユーザは、ユーザ端末５から、投稿サーバ３の支援によりブログ、Ｔｗｉｔｔｅｒ（登録商標）を作成し投稿する。
【００２６】
情報分析装置１は、ネットワーク７を介して投稿サーバ３と接続される。
情報分析装置１は、投稿サーバ３が管理している投稿テキストから、予め指定したユーザの投稿テキストデータを取得し、投稿テキストデータを分析し、ユーザ・アカウント毎にユーザの有言実行度を算出する。
有言実行度、及び、有言実行度の算出方法については後述する。
【００２７】
図２は、情報分析装置１のハードウエア構成例を示すブロック図である。
情報分析装置１は、例えば、パーソナルコンピュータ等のコンピュータ装置で構成することが可能である。
情報分析装置１は、例えば、制御部１１、記憶部１２、メディア入出力部１３、通信制御部１４、入力部１５、表示部１６、周辺機器Ｉ／Ｆ（インタフェース）部１７等がバス１８で接続された構成である。
【００２８】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
【００２９】
ＣＰＵは、ＲＯＭ、記憶部１２等に格納されるプログラムをＲＡＭ上のワークメモリ領域に呼び出して実行し、バス１８を介して接続された各装置を駆動制御し、コンピュータが行う処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記憶媒体等からロードしたプログラム、データ等を一時的に保持するとともに、制御部１１が各種処理を行うために使用するワークエリアを備える。
【００３０】
記憶部１２は、制御部１１が実行するプログラム、プログラム実行に必要なデータ、ＯＳ（Ｏｐｅｒａｔｉｎｇ  Ｓｙｓｔｅｍ）等が格納される。プログラムは、本発明の実施形態に係る情報分析装置１の処理プログラム等である。
処理プログラムについては後述する。
プログラムのコードは、制御部１１により必要に応じて読み出されてＲＡＭに移され、ＣＰＵにより実行される。
【００３１】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。
通信制御部１４は、通信制御装置、通信ポート等を有し、ネットワーク７を介して、他の装置、例えば、投稿サーバ３との通信制御を行う。ネットワークは、有線、無線を問わない。
【００３２】
入力部１５は、データの入力を行い、例えば、キーボード、マウス等のポインティングデバイス、テンキー等の入力装置を有する。
表示部１６は、ＣＲＴモニタ、液晶パネル等のディスプレイ装置であり、表示部１６には、情報分析装置１により分析された各ユーザの有言実行度等を表示することが可能である。
【００３３】
投稿サーバ３及びユーザ端末５のハードウエア構成は、図１に示した情報分析装置１のハードウエア構成と同様であるので、ここでは詳述しない。
【００３４】
次に、本実施の形態の情報分析装置１が算出する有言実行度について説明する。
ブログやＴｗｉｔｔｅｒ（登録商標）への投稿テキストには、「○○が欲しい」、「○○したい」といった物事への興味や希望を示す文章（以下、希望文と呼ぶ）が含まれている。そして、この興味、希望を実現して、「○○を手に入れた」、「○○をやった」という実行を示す文章（実行文）も投稿される。
【００３５】
情報分析装置１は、投稿テキストデータを分析して、希望文を抽出し、希望文が抽出された投稿テキスト以降に投稿された投稿テキストデータから、希望文の対象となる物事の実行を示す実行文を抽出し、希望文数に対する実行文数の割合から各ユーザ（投稿者）の有言実行度を算出する。
【００３６】
次に、情報分析装置１による有言実行度の算出方法について説明する。
図３は、情報分析装置１の処理の流れを示すフローチャートである。
【００３７】
まず、情報分析装置１の制御部１１は、通信制御部１４を介してネットワーク７上の投稿サーバ３にアクセスし、予め指定された投稿者（ユーザ・アカウント）の所定の期間内の投稿テキストデータを取得し、記憶部１２の投稿テキスト記憶部２１に格納する（ステップ１０１）。
【００３８】
予め指定された投稿者（ユーザ・アカウント）とは、例えば、情報分析装置１による投稿テキストの分析を承諾した投稿者である（複数の者でもよい）。
【００３９】
図４は、投稿テキスト記憶部２１の構成例を示す図である。
投稿テキスト記憶部２１には、例えば、投稿日時、ユーザ・アカウント、及び、投稿テキストデータが格納される。
【００４０】
図４では、投稿日時順に投稿テキストデータが示されているが、例えば、ユーザ・アカウント毎に格納するようにしてもよい。
投稿テキスト記憶部２１には、指定されたユーザ・アカウントの投稿テキストデータが、投稿日時とともに、すべて格納される。
【００４１】
図３に戻り、次に、情報分析装置１の制御部１１は、投稿テキスト記憶部２１に格納されている投稿テキストデータの構文解析を行い、希望文を含む投稿テキストを抽出し、その結果求まったデータを記憶部１２の希望文データ記憶部２３に格納する（ステップ１０２）。
【００４２】
図５は、希望文及び実行文の抽出を説明する図である。
ここでは、図５（ａ）の希望文及び対象語の抽出について説明する。
希望文とは、希望を示す表現と、その対象語を含む文である。
希望を示す表現とは、例えば、希望の助動詞である「〜たい」、「〜たがる」や、希望を示す動詞である「欲しい」、「欲する」等である。
また、対象語とは、希望文に含まれる、係り受けにおいて希望を示す表現に係る名詞である。
【００４３】
希望文抽出では、まず、投稿テキストデータの１文１文の構文解析を行う。
すなわち、形態素解析及び構文解析により１文を文節に分割するとともに係り受け関係を解析し、文節から希望を示す表現を探索し、探索できたら係り受けにおいて希望を示す表現に係る名詞を対象語として抽出する。希望を示す表現とその対象語が抽出できた文を希望文として抽出する。
【００４４】
図５（ａ）の例では、「いつの日か松坂牛を食べたい」という１文は、文節「いつの日か」、「松坂牛を」、「食べたい」に分割され、「食べたい」が希望の助動詞「〜たい」を含むので希望を示す表現として探索され、係り受けの関係から「松坂牛」が対象語として抽出される。希望を示す表現とその対象語が抽出できたので、「いつの日か松坂牛を食べたい」という文は希望文として抽出される。
【００４５】
図６は、希望文データ記憶部２３の構成例を示す図である。
希望文データ記憶部２３には、ユーザ・アカウント、投稿日時、希望文の対象語、希望文数ｗ等が格納される。
図５（ａ）に示した方法により希望文及び対象語が抽出されると、希望文データ記憶部２３に、ユーザ・アカウント毎に、希望文の対象語と、その希望文を含む投稿テキストの投稿日時、及び、抽出された希望文数ｗが格納される。
【００４６】
図６の例は、図４の投稿テキスト記憶部２１に格納されている投稿テキストデータから希望文を抽出した結果を格納したものである。
ユーザ・アカウント「ａａ」の投稿テキストデータから、「◎◎アイス食べたい」、「△△のＣＤ超欲しい」、「××に相談したいことがあるんだよね」、「いつか本物のオーロラ見てみたいな」が希望文として抽出され、各希望文の投稿日時及び対象語「◎◎アイス」、「△△のＣＤ」、「××」、「オーロラ」と希望文数ｗ＝４が希望文データ記憶部２３に格納されている。
【００４７】
また、ユーザ・アカウント「ｂｂ」の投稿テキストデータからは、「私も◎◎アイスたべてみたい」、「◎×のＣＤ聞きたいな」、「□□と今度飲んでみたいなー」、「松坂牛が食べたいよ」が希望文として抽出され、各希望文の投稿日時及び対象語「◎◎アイス」、「◎×のＣＤ」、「□□」、「松坂牛」と希望文数ｗ＝４が希望文データ記憶部２３に格納されている。
以下、他のユーザ・アカウントについても同様に希望文が抽出され、希望文の対象語と投稿日時、希望文数ｗが希望文データ記憶部２３に格納される。
【００４８】
図３に戻り、次に、情報分析装置１の制御部１１は、ステップ１０２により抽出された希望文の対象語を実際に実現したことを示す実行文を抽出し、記憶部１２の実行文データ記憶部２５にユーザ・アカウント毎に実行文の投稿数ｅを格納する（ステップ１０３）。
【００４９】
すなわち、希望文データ記憶部２３に格納された各希望文の対象語について、そのユーザ・アカウントのその投稿日時以降の投稿テキストデータを投稿テキスト記憶部２１を検索して抽出し、当該希望文の対象語を探索し、希望文の対象語を含む投稿テキストを構文解析し、当該投稿テキストが実行文か否かを判別する。
【００５０】
図５（ｂ）は、実行文抽出を説明する図である。
実行文とは、希望文の対象語とその実行を示す表現を含み、当該希望文の投稿日時以降の投稿日時の情報をもつ文である。
実行を示す表現とは、例えば、動詞、形容詞、形容動詞＋過去又は過去完了の助動詞「た」である。
【００５１】
実行文抽出では、希望文の投稿日時以降の投稿テキストデータから抽出された希望文の対象語を含む投稿テキストデータの構文解析を行う。
すなわち、形態素解析及び構文解析により１文を文節に分割するとともに係り受け関係を解析し、文節から実行を示す表現を探索し、探索できたら係り受けにおいて希望文の対象語が実行を示す表現に係っているか判定する。係っているならばこの文を実行文とする。
【００５２】
図５（ｂ）の例では、「ついに松坂牛を食べたよー！」という希望文の対象語「松坂牛」を含む投稿テキストが、文節「ついに」、「松坂牛を」、「食べたよー」に分割され、希望文の対象語「松坂牛」の係り受けとして実行を示す表現があるか否かが判定される。
この例では、「食べたよー」という動詞＋過去の助動詞「た」が存在するので、この投稿テキストは実行文であると判定される。
【００５３】
図７は、実行文データ記憶部２５の構成例を示す図である。
実行文データ記憶部２５は、例えば、ユーザ・アカウント、及び、希望文の対象語に対応する実行文数ｅで構成される。
【００５４】
図７の例は、図４の投稿テキスト記憶部２１に格納されている投稿テキストデータから図６に格納された希望文の対象語に対応する実行文を抽出した結果を格納したものである。
ユーザ・アカウント「ａａ」については、図６に格納された希望文の対象語「◎◎アイス」、「△△のＣＤ」、「××」、「オーロラ」に対して、投稿テキスト記憶部２１の投稿テキストデータから、「◎◎アイスおいしかった！」、「△△のＣＤ買っちゃった」、「××といっぱい話せて良かった！」が実行文と判別され、実行文データ記憶部２５には、実行文数ｅ＝３が格納される。
【００５５】
また、ユーザ・アカウント「ｂｂ」については、図６に格納された希望文の対象語「◎◎アイス」、「◎×のＣＤ」、「□□」、「松坂牛」に対して、投稿テキスト記憶部２１の投稿テキストデータから「◎×のＣＤ買ったよー」が実行文と判別され、実行文データ記憶部２５には、実行文数ｅ＝１が格納される。
以下、他のユーザ・アカウントについても同様に実行文が抽出され、ユーザ・アカウント毎に実行文数ｅが実行文データ記憶部２５に格納される。
【００５６】
図３に戻り、次に、情報分析装置１の制御部１１は、ステップ１０２で希望文データ記憶部２３に格納されたユーザ・アカウント毎の希望文数ｗと、ステップ１０３で実行文データ記憶部２５に格納されたユーザ・アカウント毎の実行文数ｅを元に、各ユーザ・アカウントの投稿者の有言実行度を算出し、記憶部１２の有言実行度記憶部２７に格納する（ステップ１０４）。
有言実行度は、希望文数ｗに対する実行文数ｅの割合（ｅ／ｗ）である。
【００５７】
図８は、有言実行度記憶部２７の構成例を示す図である。
有言実行度記憶部２７は、ユーザ・アカウント及び有言実行度で構成される。
図８の例では、ユーザ・アカウント「ａａ」の有言実行度（ｅ／ｗ）は、希望文数ｗ＝４、実行文数ｅ＝３から７５％、ユーザ・アカウント「ｂｂ」の有言実行度（ｅ／ｗ）は、希望文数ｗ＝４、実行文数ｅ＝１から２５％である。
【００５８】
以上のように、本実施の形態の情報分析装置１により、投稿サーバ３により管理されている投稿テキストの中の指定の投稿者（ユーザ・アカウント）の投稿テキストデータについて分析し、各投稿者の有言実行度を算出することが可能になる。
【００５９】
本実施の形態の情報分析装置１により算出された有言実行度は、マーケティング予測、プロモーションの立案等に有効に活用することが可能である。
【００６０】
例えば、情報分析装置１により算出された有言実行度は、商品発売前に売上予測をする場合に有効である。
商品発売前に商品の特徴や価格などの情報を公開しておくと、投稿者は投稿サーバ３を介して、その商品を買ってみたい、あるいは、試してみたいといった希望文を含む投稿テキストを投稿する。
所定の期間に投稿サーバ３に投稿された投稿テキストデータを情報分析装置１で分析し、その商品名を希望文の対象語とする希望文を含む投稿テキストを抽出し、それらの投稿テキストの投稿者全員の平均有言実行度が高ければ、その商品は高い売上が予測でき、また、平均有言実行度が低ければ、その商品はあまり売れないだろうと予測することができ、売上予測の精度を高めることが可能になる。
【００６１】
例えば、Ａ社の商品◎◎の発売前に、商品◎◎の希望文を含む投稿の件数が１２０００件あり、その投稿者の平均有言実行度は５８％であり、また、Ｂ社の商品○○の発売前の希望文を含む投稿の件数が１８０００件あり、その投稿者の平均有言実行度は２４％だったとする。
投稿件数からはＢ社の商品○○の反響が大きく高い売上が予測されるが、有言実行度の情報を活用すると、投稿者の平均有言実行度はＡ社の商品◎◎の方が高く、Ａ社の商品◎◎の高い売上を予測できる。
【００６２】
また、有言実行度はプロモーションの立案にも有効に活用することができる。
発売前の商品のプロモーションに対して、その商品を希望文の対象語として含む投稿テキストを投稿した投稿者の平均有言実行度と、発売後のその商品を対象語とする実行文を投稿した投稿者の割合を比較し、実行文を投稿した投稿者の割合が希望文を投稿した投稿者の平均有言実行度よりも低い場合は、予想より商品が売れていず、更にプロモーションが必要であると判断できる。
すなわち、売れ行きの好調／不調を定量化でき、プロモーションの必要性の有無を判断することが可能になる。
【００６３】
例えば、Ａ社の商品◎◎に対する発売前の希望文を含む投稿１２０００件についての投稿者の平均有言実行度が５８％であり、発売後にそのうちの１８％しか商品◎◎に対する実行文を投稿していない場合、売れ行きが不調と見てプロモーションの必要性があると判断できる。また、発売後に６５％の投稿者が実行文を投稿していれば、売れ行きは順調であると判断できる。
【００６４】
更に、有言実行度を意見分析のフィルタリングに活用することも可能である。
有言実行度が所定の値以上の投稿者にヒアリングやアンケートを実施したり、有言実行度が所定の値以上の投稿者のその後の投稿テキストを重点的に分析することにより、より有効な情報を得ることが可能になる。
【００６５】
なお、本実施形態は前述のものに限られず、その趣旨を逸脱しない範囲で変更可能である。
例えば、図３のステップ１０１において、予め指定された投稿者（ユーザ・アカウント）の投稿テキストデータを取得するとしたが、投稿テキストデータを取得する対象は、ユーザ・アカウントのみに限られない。
【００６６】
図１の投稿サーバ３が、投稿日時、ユーザ・アカウント、及び、投稿テキストデータの他に、例えば、年齢や、性別、居住エリア（都道府県や市町村）等の分類の情報を有していれば、情報分析装置１の制御部１１は、所定の年齢層、所定の性別、所定の居住エリア等の、予め指定された分類を用いて、投稿サーバ３から、投稿テキストデータを取得してもよい。
また、情報分析装置１の制御部１１は、所定の分類に属するユーザ・アカウントの投稿テキストデータを取得するようにしてもよい。
【００６７】
この際には、図４の投稿テキスト記憶部２１、図６の希望文データ記憶部２３、図７の実行文データ記憶部２５、図８の有言実行度記憶部２７は、ユーザ・アカウントごとではなく、分類毎、又は、分類に属するユーザ・アカウント毎に、記憶される。
【００６８】
こうすることにより、情報分析装置１の制御部１１は、年齢や年齢層、性別、居住エリア等の分類毎の有言実行度を算出したり、このような分類に属するユーザ・アカウント毎に有言実行度を算出することができる。
さらに、例えば、Ａ社の商品◎◎に対する年齢層別の投稿者の平均有言実行度の違いから、売上予測やプロモーションの計画立案をすることが可能である。
【００６９】
また、例えば、掲示板の同一スレッド内の投稿テキストデータや、ブログのある日記内の投稿テキストデータなど、特定の対象に対して投稿された関連のある投稿テキストデータが、まとまり毎に関連付けれらて、投稿サーバ３で管理されていることがある。
この場合には、図３のステップＳ１０３において、情報分析装置１の制御部１１は、まとまり毎の関連付けを参照して、希望文に関連する投稿テキストデータを判定し、希望文に関連する投稿テキストデータから、実行文を抽出してもよい。
【００７０】
こうすることにより、情報分析装置１の制御部１１は、まとまり毎の有言実行度を算出することができる。
【００７１】
以上、本発明の情報分析装置１の実施の形態について説明したが、本発明の情報分析装置１により投稿テキストの投稿者や分類毎の有言実行度を求めることが可能になり、有言実行度を適用することにより、マーケティング予測、プロモーションの計画立案、意見分析のフィルタリング等を精度よく容易に実行することが可能になる。
【００７２】
以上、添付図面を参照しながら、本発明に係る情報分析装置１の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７３】
１………情報分析装置
３………投稿サーバ
５………ユーザ端末
７………ネットワーク
２１………投稿テキスト記憶部
２３………希望文データ記憶部
２５………実行文データ記憶部
２７………有言実行度記憶部
【図１】
0006384242.tif 000002
【図２】
0006384242.tif 000003
【図３】
0006384242.tif 000004
【図４】
0006384242.tif 000005
【図５】
0006384242.tif 000006
【図６】
0006384242.tif 000007
【図７】
0006384242.tif 000008
【図８】
0006384242.tif 000009